(57)【要約】【課題】  撮影者が撮影を実施しようとした時に好適なタイミングで、かつ直感的にレンズ保護機構が閉じた状態であることを撮影者に伝達し、ストレスのない撮影を行うことができ、さらに撮影者が撮影を実施する意図が無い状況で誤って撮影開始操作を行ってしまっても、撮影者に注意を促すことができる撮像装置を提供する。【解決手段】  手ぶれ検出手段４０６から出力される手ぶれ検出信号を監視し、手ぶれ検出信号に変動が生じて手ぶれ検出信号が所定の値より大きくなり、かつレンズ保護機構４０１が閉じた状態にある場合には撮影者に警告を行う。また、手ぶれ検出信号が所定の値より大きくなった状態が所定の期間以上継続し、かつ撮像装置の光軸方向と重力方向との間に所定の角度差が存在する場合には撮影者に警告を行うことを特徴とする。【選択図】        図１
2007006223.tif 000002
【特許請求の範囲】
【請求項１】
撮像装置に加わる振動を検出する手ぶれ検出手段と、手ぶれ検出手段から出力される手ぶれ検出信号の変動を監視し、手ぶれ検出信号が所定の値より大きくなった時点で撮影者に撮影開始意図があると判定する撮影開始意図判定部と、レンズ保護機構と、レンズ保護機構がレンズ保護状態であるか否かを判定するレンズ保護判定部と、撮影者が撮影画像を確認するための表示部とを備え、撮影開始意図判定部で撮影者に撮影開始意図があると判定し、かつレンズ保護判定部でレンズ保護機構がレンズ保護状態であると判定した場合に、表示部に文章および文章の内容を連想させる図柄によって構成された警告を表示することを特徴とする撮像装置。
【請求項２】
請求項１における撮像装置において、撮影開始意図判定部で撮影者に撮影開始意図があると判定し、かつレンズ保護判定部でレンズ保護機構がレンズ保護状態であると判定した場合には、警告音を鳴らすことを特徴とする撮像装置。
【請求項３】
請求項１における撮像装置において、撮影開始意図判定部で撮影者に撮影開始意図があると判定し、かつレンズ保護判定部でレンズ保護機構がレンズ保護状態であると判定した場合には、表示部に表示される警告をアニメーション動作させることを特徴とする撮像装置。
【請求項４】
撮像装置に加わる振動を検出する手ぶれ検出手段と、手ぶれ検出手段から出力される手ぶれ検出信号の変動を監視し、手ぶれ検出信号が所定の値より大きくなった状態が所定の期間以上継続した時点で撮影者に撮影を実施する意図が無いと判定する撮影実施意図判定部と、撮像装置の光軸方向と重力方向との間に存在する角度差の検出を行う撮像装置姿勢検出部と、撮影者が撮影画像を確認するための表示部とを備え、撮像装置が記録中の状態であるときに、撮影実施意図判定部で撮影者に撮影を実施する意図が無いと判定し、かつ撮像装置姿勢検出部で撮像装置の光軸方向と重力方向との間に所定の角度差が存在する場合には、表示部に文章および文章の内容を連想させる図柄によって構成された警告を表示することを特徴とする撮像装置。
【請求項５】
請求項４における撮像装置において、撮影実施意図判定部で撮影者に撮影を実施する意図が無いと判定し、かつ撮像装置姿勢検出部で撮像装置の光軸方向と重力方向との間に所定の角度差が存在する場合には、警告音を鳴らすことを特徴とする撮像装置。
【請求項６】
請求項４における撮像装置において、撮影実施意図判定部で撮影者に撮影を実施する意図が無いと判定し、かつ撮像装置姿勢検出部で撮像装置の光軸方向と重力方向との間に所定の角度差が存在する場合には、表示部に表示される警告をアニメーション動作させることを特徴とする撮像装置。
【発明の詳細な説明】
【技術分野】
【０００１】
本発明は、撮像装置に関するものであり、特にレンズを介して入射した被写体からの光信号を撮像素子にて電気信号に変換し、該電気信号に信号処理を施して映像信号を生成する撮像装置に関するものである。
【０００２】
上記撮像装置は、例えばカメラ一体型ＶＴＲ等の撮像装置である。
【背景技術】
【０００３】
デジタルカメラ・デジタルビデオカメラ等の撮像装置には、レンズに異物が接触して汚れ・キズ等が発生するために、キャップや板状の部材によるバリア等のレンズ保護機構が設けられているものがある。
【０００４】
また、撮影時に生じる手ぶれを抑制するために、撮像装置に加わる振動を検出し、その振動に応じた手ぶれ補正を光学的・電子的に行う手ぶれ補正機能を搭載した撮像装置が主流となってきている。
【０００５】
これらの撮像装置について、以下説明する。
【０００６】
図４は従来の撮像装置の処理ブロック図である。
【０００７】
図４において、４０１はレンズ保護機構であり、４０２はレンズ、４０３は絞り、４０４は撮像素子であるＣＣＤ、４０５は手ぶれ補正手段、４０６は手ぶれ検出手段、４０７はサンプル／ホールド回路（Ｓ／Ｈ回路）、４０８はプリプロセス回路、４０９は信号処理部、４１０はメモリ、４１１は表示部、４１２は撮影画像の記録装置である。
【０００８】
レンズ保護機構４０１はレンズキャップ、あるいは板状の部材によって構成されたレンズバリアであり、使用していない時や携帯している時には閉じた状態にして、レンズに異物が接触することに起因するレンズ表面の汚れ・キズの発生を防止する。撮影を実施する際には、手動による操作や電子制御によって保護部材を駆動させ開いた状態に移行させることができる。
【０００９】
レンズ４０２より受光した被写体からの光は、絞り４０３により光量を調節されてＣＣＤ４０４面上に結像され、ＣＣＤ４０４により光電変換されて画像信号として蓄積される。ＣＣＤ４０４から出力された画像信号は、サンプルホールド回路４０７でサンプルホールド処理された後、プリプロセス回路４０８に供給されてＡＧＣ処理、ブラックバランス処理、ホワイトバランス処理、ガンマ補正処理等が行われ、信号処理部４０９に供給される。
【００１０】
手ぶれ検出手段４０６は、撮像装置に加わる振動をセンサにより検知して、前記振動の大きさに応じて手ぶれ検出信号を生成し、手ぶれ補正手段４０５に伝達する。手ぶれ補正手段４０５は、伝達された手ぶれ検出信号の出力値に応じて光軸に対するＣＣＤ４０４の位置を変更し、あるいはＣＣＤ４０４の有効画素に対する撮影画像の切り出し範囲を変更して手ぶれ補正処理を実施し、撮影画像に対する手ぶれの影響を補正する。
【００１１】
信号処理部４０９では、画像信号に対して信号処理パラメータに応じた加工・補正等が実施されて記録用画像信号が生成され、さらに記録用画像信号に撮像装置の内部状態や撮影時間等の情報を重畳した表示用画像信号が生成される。その間必要に応じて画像信号をメモリ４１０に保持する。
【００１２】
表示装置４１１は、信号処理部４０９から出力された表示用画像信号を取得し、表示する。
【００１３】
記録装置４１２は、信号処理部４０９から出力された記録用画像信号を取得し、記録媒体に保存する。
【００１４】
以上のようにして、レンズ保護機構と手ぶれ補正機能を搭載する撮像装置を構成していた。
【特許文献１】特開平０７−１２３３１７号公報
【発明の開示】
【発明が解決しようとする課題】
【００１５】
しかし、これらの撮像装置では撮影者が表示部４１１の画像を確認しなければ、レンズ保護機構４０１が閉じた状態にあることに気づかず、実際撮影を実施しようとした時に煩わしさを感じたり、不注意から閉じた状態のまま撮影を実施してしまい所望の撮影結果が得られないという問題があった。
【００１６】
また、撮影者が撮影を実施する意図が無い状況で誤って撮影開始操作を行ってしまい、撮影が行われていることに気づかず、意図しない被写体を撮り続けてしまうという問題があった。
【００１７】
本発明の目的は、これらの問題点に対して、撮影者が撮影を実施しようとした時に好適なタイミングで、かつ直感的にレンズ保護機構が閉じた状態であることを撮影者に伝達し、ストレスのない撮影を行うことができ、さらに撮影者が撮影を実施する意図が無い状況で誤って撮影開始操作を行ってしまっても、撮影者に注意を促すことができる撮像装置を提供することにある。
【課題を解決するための手段】
【００１８】
請求項１に記載の発明によれば、撮像装置に加わる振動を検出する手ぶれ検出手段と、手ぶれ検出手段から出力される手ぶれ検出信号の変動を監視し、手ぶれ検出信号が所定の値より大きくなった時点で撮影者に撮影開始意図があると判定する撮影開始意図判定部と、レンズ保護機構と、レンズ保護機構がレンズ保護状態であるか否かを判定するレンズ保護判定部と、撮影者が撮影画像を確認するための表示部とを備え、撮影開始意図判定部で撮影者に撮影開始意図があると判定し、かつレンズ保護判定部でレンズ保護機構がレンズ保護状態であると判定した場合に、表示部に文章および文章の内容を連想させる図柄によって構成された警告を表示することを特徴とする撮像装置である。
【００１９】
また、請求項２に記載の発明によれば、請求項１における撮像装置において、撮影開始意図判定部で撮影者に撮影開始意図があると判定し、かつレンズ保護判定部でレンズ保護機構がレンズ保護状態であると判定した場合には、警告音を鳴らすことを特徴とする撮像装置である。
【００２０】
また、請求項３に記載の発明によれば、請求項１における撮像装置において、撮影開始意図判定部で撮影者に撮影開始意図があると判定し、かつレンズ保護判定部でレンズ保護機構がレンズ保護状態であると判定した場合には、表示部に表示される警告をアニメーション動作させることを特徴とする撮像装置である。
【００２１】
また、請求項４に記載の発明によれば、撮像装置に加わる振動を検出する手ぶれ検出手段と、手ぶれ検出手段から出力される手ぶれ検出信号の変動を監視し、手ぶれ検出信号が所定の値より大きくなった状態が所定の期間以上継続した時点で撮影者に撮影を実施する意図が無いと判定する撮影実施意図判定部と、撮像装置の光軸方向と重力方向との間に存在する角度差の検出を行う撮像装置姿勢検出部と、撮影者が撮影画像を確認するための表示部とを備え、撮像装置が記録中の状態であるときに、撮影実施意図判定部で撮影者に撮影を実施する意図が無いと判定し、かつ撮像装置姿勢検出部で撮像装置の光軸方向と重力方向との間に所定の角度差が存在する場合には、表示部に文章および文章の内容を連想させる図柄によって構成された警告を表示することを特徴とする撮像装置である。
【００２２】
また、請求項５に記載の発明によれば、請求項４における撮像装置において、撮影実施意図判定部で撮影者に撮影を実施する意図が無いと判定し、かつ撮像装置姿勢検出部で撮像装置の光軸方向と重力方向との間に所定の角度差が存在する場合には、警告音を鳴らすことを特徴とする撮像装置である。
【００２３】
また、請求項６に記載の発明によれば、請求項４における撮像装置において、撮影実施意図判定部で撮影者に撮影を実施する意図が無いと判定し、かつ撮像装置姿勢検出部で撮像装置の光軸方向と重力方向との間に所定の角度差が存在する場合には、表示部に表示される警告をアニメーション動作させることを特徴とする撮像装置である。
【発明の効果】
【００２４】
撮影者が撮影を実施しようとした時に好適なタイミングで、かつ直感的にレンズ保護機構が閉じた状態であることを撮影者に伝達し、ストレスのない撮影を行うことができ、さらに撮影者が撮影を実施する意図が無い状況で誤って撮影開始操作を行ってしまっても、撮影者に注意を促すことができる。
【発明を実施するための最良の形態】
【００２５】
以下、この発明の一実施例について図面を参照して説明する。
【実施例】
【００２６】
図４に、この実施例の処理ブロック図を示す。図中、図４に示す従来の撮像装置の構成と同一の部分には同一の参照符号を付してその説明を省略する。
【００２７】
図１において、１０１は撮影開始意図判定部であり、１０２はレンズ保護判定部である。１０３は撮像装置姿勢検出部であり、１０４は撮影実施意図判定部である。
【００２８】
撮影開始意図判定部１０１は、前記手ぶれ検出手段４０６から出力される手ぶれ検出信号を監視し、手ぶれ検出信号が所定の値より大きくなった時点で、撮影者が撮像装置を手にとって撮影開始する意図があると判定する。
【００２９】
レンズ保護判定部１０２は、レンズ保護機構４０１によりセンサが押下されるよう構成される。また、レンズ保護機構４０１により光学センサが遮光されるよう構成することもできる。あるいは、レンズ保護機構４０１の開閉スイッチを備えた撮像装置の場合は前記スイッチの状態を監視するよう構成することもできる。さらに、入力画像信号中の輝度成分に注目し、所定の値以下の領域が全画像領域中に占める割合を監視するように構成することもできる。これらの情報に基づいて、レンズ保護判定部１０２はレンズ保護機構４０１が閉じた状態にあるか否かを判定する。
【００３０】
撮像装置姿勢検出部１０３は、重力センサにより重力方向を検出するよう構成されており、撮像装置の光軸方向と重力方向との角度差を導出する。
【００３１】
撮影実施意図判定部１０４は、前記手ぶれ検出手段４０６から出力される手ぶれ検出信号を監視し、手ぶれ検出信号が所定の値より大きくなった状態が所定の期間以上継続した時点で、撮影者に撮影を実施する意図が無いと判定する。
【００３２】
以下、レンズ保護警告を表示部４１１に表示するまでの処理内容を説明する。
【００３３】
撮影者が撮像装置を手にとると、手ぶれ検出手段４０６は撮像装置に加わる振動を検出し、手ぶれ検出信号の出力値が大きくなる。撮像開始意図判定部１０１は手ぶれ検出信号の変動を監視しており、前記手ぶれ検出信号の変動を受けて所定の値と前記手ぶれ検出信号の出力値を比較し、前記手ぶれ検出信号の出力値の方が大きい場合には撮影者に撮影を開始する意図があると判定し、信号処理部４０９に対して判定結果を伝達する。同時に、レンズ保護判定部１０２はレンズ保護機構４０１が閉じた状態にあるか否かを判定し、信号処理部４０９に判定結果を伝達する。
【００３４】
信号処理部４０９は伝達された判定結果を受けて、撮影者に撮影を開始する意図がありかつレンズ保護機構４０１が閉じた状態である場合は、表示用画像信号に文章および図柄によって構成された警告を重畳して出力する。
【００３５】
図５は警告を表示した表示部の例である。図５において５０１は液晶パネル等で構成される表示面である。
【００３６】
また、表示用画像信号に文章および図柄によって構成された警告を重畳して出力する際に、あわせて警告音を鳴らし撮影者の注意を喚起するように構成することもできる。さらに、前記文章および図柄をアニメーション動作させ、より撮影者の注意を喚起するように構成することもできる。
【００３７】
図６は表示用画像信号に重畳される文章および図柄をアニメーション動作させた場合の例である。図柄の一部を周期的に拡大・縮小させる動作を繰り返すことで、撮影者に対して警告表示が発生している事実をより直感的に伝達することができる。
【００３８】
以下、レンズ保護警告を表示部４１１に表示するまでの一連の手順を図２に示すフローチャートを用いて説明する。
【００３９】
Ｓｔｅｐ１１において、手ぶれ検出手段４０６は手ぶれ検出処理を開始し、Ｓｔｅｐ１２へと処理を移行する。
【００４０】
Ｓｔｅｐ１２において、撮影開始意図判定部１０１は手ぶれ検出信号の変動を監視し、撮像装置に振動が加わって手ぶれ検出信号の出力値が所定の値より大きくなった時点で撮影者に撮影を開始する意図があると判定しＳｔｅｐ１３へと処理を移行する。手ぶれ検出信号の変動がない場合は処理を終了する。
【００４１】
Ｓｔｅｐ１３において、レンズ保護判定部１０２はレンズ保護機構４０１が閉じた状態であるか開いた状態であるか情報を取得し、Ｓｔｅｐ１４へと処理を移行する。
【００４２】
Ｓｔｅｐ１４において、レンズ保護判定部１０２はＳｔｅｐ１３で取得した情報を基にレンズ保護判定を実施し、レンズ保護状態であると判定した場合はＳｔｅｐ１５へと処理を移行する。レンズ保護状態でないと判定した場合は処理を終了する。
【００４３】
Ｓｔｅｐ１５において、信号処理部４０９は撮影開始意図判定結果とレンズ保護判定結果とを取得し、撮影者に撮影を開始する意図があり、かつレンズ保護状態である場合には表示用画像信号に文章および図柄によって構成された警告を重畳して出力する。
【００４４】
以上詳述したように本発明によれば、撮影者が撮影態勢に入る際に好適なタイミングでかつ直感的にレンズ保護機構の状態を認識することができ、ストレスのない撮影を行うことができる撮像装置を構成することができる。
【００４５】
次に、撮影者が撮影を実施する意図が無い状況で誤って撮影開始操作を行ってしまった際に、撮影者に注意を促す警告を表示部４１１に表示するまでの処理内容を説明する。
【００４６】
撮影者が撮影意図無く撮像装置を手にとっている状況では、撮像装置に断続的な振動が加わり、手ぶれ検出信号の出力が大きい状態が継続する。撮影実施意図判定部１０４は手ぶれ検出信号を監視しており、前記手ぶれ検出信号の出力値が所定の値より大きくなった状態が所定の期間以上継続した時点で、撮影者に撮影意図が無いと判定し信号処理部４０９に対して判定結果を伝達する。同時に、撮像装置姿勢検出部１０３は撮像装置の光軸方向と重力方向との角度差を導出し、信号処理部４０９に伝達する。
【００４７】
図７は信号処理部４０９における、撮像装置姿勢検出部１０３から取得した角度差に基づく有効撮影判定基準の一例を示す。図７において、７０１は有効な撮影として判定する角度差の領域である。７０２は意図しない撮影の可能性があると判定する角度差の領域であり、撮像装置が真下に近い方向や後ろ向き、真上に近い方向に向けられており、撮影者に撮影を実施する意図がないにもかかわらず記録動作を行っている可能性がある。
【００４８】
信号処理部４０９は、撮像装置が記録動作中であり、かつ撮影者に撮影意図が無いと判定され、かつ撮像装置の光軸方向と重力方向との角度差が意図しない撮影の可能性があると判定する角度差の領域７０２内に存在する場合に、表示用画像信号に文章および図柄によって構成された警告を重畳し、同時に警告音を鳴らす。このとき、表示用画像信号に重畳される文章および図柄をアニメーション動作させてより撮影者の注意を喚起するように構成することもできる。撮影者は、警告音により意図しない状況で撮像装置が記録状態になってしまったことに気づくことができ、さらに表示部に表示された内容を確認することにより、より容易かつ直感的に意図しない撮影が行われたことを把握することができる。
【００４９】
以下、撮影者が撮影を実施する意図が無い状況で誤って撮影開始操作を行ってしまった際に、撮影者に注意を促す警告を表示部４１１に表示するまでの一連の手順を図３に示すフローチャートを用いて説明する。
【００５０】
Ｓｔｅｐ２１において、信号処理部４０９は撮像装置が記録動作中か否か判定し、記録動作中であればＳｔｅｐ２２へと処理を移行する。記録動作中でない場合は処理を終了する。
【００５１】
Ｓｔｅｐ２２において、手ぶれ検出手段４０６は手ぶれ検出処理を開始し、Ｓｔｅｐ２３へと処理を移行する。
【００５２】
Ｓｔｅｐ２３において、撮影実施意図判定部１０４は前記手ぶれ検出手段４０６から出力される手ぶれ検出信号を監視し、前記手ぶれ検知信号が所定の値より大きくなった状態が所定の期間以上継続した時点で、撮影者に撮影意図が無いと判定しＳｔｅｐ４へと処理を移行する。前記手ぶれ検出信号が所定の値より大きくなった状態が所定の期間以上継続しない場合には、撮影者に撮影意図があると判定し処理を終了する。
【００５３】
Ｓｔｅｐ２４において、撮像装置姿勢検出部１０３は撮像装置の光軸方向と重力方向との角度差を導出しＳｔｅｐ２５へと制御を移行する。
【００５４】
Ｓｔｅｐ２５において、信号処理部４０９は撮影実施意図判定結果と撮像装置の光軸方向と重力方向との角度差を取得し、所定の有効撮影判定基準に基づいて現在の撮影が有効か否か判定し、無効な撮影として判定した場合はＳｔｅｐ２６へと処理を移行する。有効な撮影として判定した場合は処理を終了する。
【００５５】
Ｓｔｅｐ２６において、撮影実施意図判定結果と有効撮影判定結果とを取得し、信号処理部４０９は撮像装置が記録動作中であり、かつ撮影者に撮影を実施する意図が無く、かつ無効な撮影として判定された場合には、表示用画像信号に文章および図柄によって構成された警告を重畳して出力する。
【００５６】
以上詳述したように本発明によれば、撮影者が直感的にかつ容易に意図しない撮影が行われていることを認識することができる撮像装置を構成することができる。
【図面の簡単な説明】
【００５７】
【図１】本発明における処理ブロック図である。
【図２】レンズ保護警告を表示部４１１に表示する一連の手順の処理フローチャートである。
【図３】撮影者が撮影を実施する意図が無い状況で誤って撮影開始操作を行ってしまった際に、撮影者に注意を促す警告を表示部４１１に表示するまでの一連の手順の処理フローチャートである。
【図４】従来の撮像装置の処理ブロック図である。
【図５】本発明において表示部に表示される警告の一例を示す図である。
【図６】本発明において表示部に表示される警告をアニメーション動作させる場合の一例を示す図である。
【図７】撮像装置姿勢検出部１０３から取得した角度差に基づく有効撮影判定基準の一例を示す図である。
【符号の説明】
【００５８】
１０１  撮影開始意図判定部
１０２  レンズ保護判定部
１０３  撮像装置姿勢検出部
１０４  撮影実施意図判定部
４０１  レンズ保護機構
４０２  レンズ
４０３  絞り
４０４  ＣＣＤ
４０５  手ぶれ補正手段
４０６  手ぶれ検出手段
４０７  Ｓ／Ｈ回路
４０８  プリプロセス回路
４０９  信号処理部
４１０  メモリ
４１１  表示部
４１２  記録装置
４１３  絞り
５０１  表示部における表示面
７０１  有効な撮影として判定する角度差の領域
７０２  意図しない撮影の可能性があると判定する角度差の領域
【図１】
2007006223.tif 000003
【図２】
2007006223.tif 000004
【図３】
2007006223.tif 000005
【図４】
2007006223.tif 000006
【図５】
2007006223.tif 000007
【図６】
2007006223.tif 000008
【図７】
2007006223.tif 000009